(57)【要約】    【課題】デジタル表示器による適切な価格表示を行うとともに、売場毎のカラーコントロールを行う等の種々の商品表示に適したプライスカードレールを提供する。    【解決手段】プライスカードレール１は、当該棚フェンス支持部３の前端部において側断面視略コ字状に形成されたレール部４とが樹脂材等により一体的に形成されている。レール部４は、所定の厚さを有するデジタル表示器５を保持する第１レール部として、デジタル表示器５を挟持して保持する上，下保持片４ａ，４ｂを有する。各保持片４ａ，４ｂの後端部近傍の内周面側には、紙等の薄板状の商品表示体６を保持する第２レール部として、商品表示体６の上，下端部近傍を係止保持する第２係止爪４ｃ，４ｃを設けている。【選択図】      図１
2007075545.tif 000002
【特許請求の範囲】
【請求項１】
オープンショーケースの商品陳列室内に備えられた商品陳列用の棚板の前面に、棚フェンスを支持するとともに商品表示体を保持するプライスカードレールにおいて、
側断面視略コ字状に形成され、デジタル表示器を保持する第１のレール部と、
当該第１のレール部と一体的に形成され、薄板状の商品表示体を保持する第２のレール部と
を備えることを特徴とするプライスカードレール。
【請求項２】
前記第１のレール部は、前記デジタル表示器を上下方向から挟持して保持する上，下保持片で構成することを特徴とする請求項１に記載のプライスカードレール。
【請求項３】
前記第１のレール部は、前記上保持片の内周面を、後端側に向かって上方に傾斜する傾斜面としたことを特徴とする請求項２に記載のプライスカードレール。
【請求項４】
前記第１のレール部は、前記上，下保持片に、前記デジタル表示器の上面及び下面に設けられた溝部に係止する係止爪を設けることを特徴とする請求項２に記載のプライスカードレール。
【請求項５】
前記第２のレール部は、前記第１レール部の上，下保持片の内周面の後端部近傍に設けた係止爪により構成することを特徴とする請求項２〜４のいずれかに記載のプライスカードレール。
【請求項６】
前記第１のレール部を構成する上保持片の上面側又は下保持片の下面側のいずれか一方又は双方に商品表示体挟持部を設けることを特徴とする請求項２〜５のいずれかに記載のプライスカードレール。
【請求項７】
前記第２のレール部は、前記第１レール部を構成する上保持片の上面側又は下保持片の下面側に立設する前壁部と、当該前壁部の上下端に設けた係止爪とで構成することを特徴とする請求項２〜４のいずれかに記載のプライスカードレール。
【請求項８】
オープンショーケースのケーシングの前面下部に、略全幅に亘って形成された手摺レールに対して取付けられるプライスカードレールであって、
側断面視略コ字状に形成され、デジタル表示器を保持する第１のレール部と、
当該第１のレール部と一体的に形成され、薄板状の商品表示体を保持する第２のレール部と
を備えることを特徴とするプライスカードレール。
【発明の詳細な説明】
【技術分野】
【０００１】
本発明は、ショーケースにおける商品陳列棚前面に備えられたプライスカードレールに関し、特に、デジタル表示器と紙等の薄板状の商品表示体との保持に適したプライスカードレールの構成に関する。
【背景技術】
【０００２】
従来より、スーパーマーケットなどの食品販売店では、冷凍食品や生鮮食品等の陳列に、多段式ショーケースが広く用いられている。
一般に、多段式ショーケースは、複数段の商品陳列棚を設けた商品陳列室の前面を開口し、該商品陳列室の床面、背面及び天井面と外部断熱壁との間にダクトを形成し、床部ダクトに設けたファンモータにて床部前端の吸込口から吸い込んだ空気を冷却器に送って冷却し、この冷気を前記ダクトの天井部前端の吹出口から前記吸込口へ向けて吹き出して商品陳列室前面にエアカーテンを形成し、このエアカーテンによって、商品陳列室内への外気の侵入を防ぎ、商品陳列室内を保冷するようにしている。
【０００３】
このようなショーケースでは、商品陳列室内の各商品陳列棚の前面部に沿って、陳列した商品がずれ落ちないようにアクリル樹脂等の透明体からなる棚フェンスを備えるとともに、当該棚フェンスを支持し、且つ陳列商品の名前や価格等を表示した商品表示体を保持するプライスカードレールが配設されている。
ここで、近年は、紙ベースの商品表示体に替えて、店舗内のＰＯＳシステムと連動したデジタル表示器が用いられることがある。デジタル表示器は、赤外線無線方式でＰＯＳシステムと連動した商品表示（価格表示等）が可能となっており、価格表記のミス等を無くすことが可能となっていた。
【０００４】
このようなデジタル表示器を保持するための構成として、従来の紙ベースの商品表示体用プライスカードレールにデジタル表示器用の保持部材を取り付けた構成（例えば、特許文献１参照。）や、デジタル表示器の厚さに合わせて形成したプライスカードレール（例えば、特許文献２参照。）が公知となっている。
【特許文献１】特開２００１−３１２２２１号公報
【特許文献２】特開２００４−３６１７２９号公報
【発明の開示】
【発明が解決しようとする課題】
【０００５】
しかし、前記特許文献１に記載の構成では、保持部材により保持されたデジタル表示器が棚板前面から突出することとなるため、商品陳列室前面に形成されるエアカーテンの形成を阻害することとなり、冷却効率を下げるとともに、外気の浸入による庫内結露を招くという問題があった。
また、前記特許文献２に記載の構成では、プライスカードレール内にデジタル表示器を保持可能としたので、エアカーテンの乱れの問題は無くなるが、デジタル表示器のみに対応したものであるため、紙ベース等の薄板状の商品表示体については適切に保持することができないものとなっていた。この場合、デジタル表示器自体は小型のものであり、また、外観上の変化に乏しいため、商品陳列棚全体に亘って装飾的な商品表示を行うことは困難であった。特に、カラーフィルム（色紙）等で構成した長尺の商品表示体を用いて、各商品陳列棚毎，オープンショーケース毎，売場毎にカラーコントロールを行うような場合には、前記特許文献２に記載のようにデジタル表示器のみを保持する構成は適さないものとなっていた。
【０００６】
本発明は、前記課題を解決するためのものであり、紙ベース等の薄板状の商品表示体及びデジタル表示器の双方を同時に保持可能として、デジタル表示器による適切な価格表示を行うとともに、売場毎のカラーコントロールを行う等の種々の商品表示に適したプライスカードレールを提供することを目的とする。
【課題を解決するための手段】
【０００７】
上記の課題を解決するため本発明は、オープンショーケースの商品陳列室内に備えられた商品陳列用の棚板の前面に、棚フェンスを支持するとともに商品表示体を保持するプライスカードレールにおいて、側断面視略コ字状に形成され、デジタル表示器を保持する第１のレール部と、当該第１のレール部と一体的に形成され、薄板状の商品表示体を保持する第２のレール部とを備えることを特徴とする。
また、前記第１のレール部は、前記デジタル表示器を上下方向から挟持して保持する上，下保持片で構成することを特徴とする。
また、前記第１のレール部は、前記上保持片の内周面を、後端側に向かって上方に傾斜する傾斜面としたことを特徴とする。
また、前記第１のレール部は、前記上，下保持片に、前記デジタル表示器の上面及び下面に設けられた溝部に係止する係止爪を設けることを特徴とする。
また、前記第２のレール部は、前記第１レール部の上，下保持片の内周面の後端部近傍に設けた係止爪により構成することを特徴とする。
また、前記第１のレール部を構成する上保持片の上面側に、側面視略Ｌ字状に形成された商品表示体の下端水平部を挟持する挟持部を設けることを特徴とする。
また、前記第２のレール部は、前記第１レール部を構成する上保持片の上面側又は下保持片の下面側に立設する前壁部と、当該前壁部の上下端に設けた係止爪とで構成することを特徴とする。
また、オープンショーケースのケーシングの前面下部に、略全幅に亘って形成された手摺レールに対して取付けられるプライスカードレールであって、側断面視略コ字状に形成され、デジタル表示器を保持する第１のレール部と、当該第１のレール部と一体的に形成され、薄板状の商品表示体を保持する第２のレール部とを備えることを特徴とする。
【発明の効果】
【０００８】
以上、説明したように、本発明のプライスカードレールによれば、次のような効果を奏する。
（１）デジタル表示器とともに、長尺のカラーフィルム等の商品表示体を保持することが可能となる。従って、商品陳列棚毎，売場毎のカラーコントロール等、種々の装飾的な商品表示が可能となる。
（２）第１のレール部として、デジタル表示器を挟持して保持する上，下保持片を設けることとしたので、デジタル表示器を容易に着脱することが可能となる。
（３）上保持片の内周面を、前端側に向かって下方に傾斜する傾斜面としたので、デジタル表示器の上面側に設けられた突起部を摺動させることができ、より容易な着脱が可能となる。
（４）上，下保持片に、デジタル表示器の溝部に係止する係止爪を設けることとしたので、デジタル表示器をより確実に保持することが可能となる。
（５）デジタル表示器を保持する第１のレール部内の後部側に第２のレール部を設け、デジタル表示器の背面側にカラーフィルム等を保持させることにより、デジタル表示器を浮き出させて、価格等の商品表示をより見易いものとすることが可能となる。
（６）第１のレール部の上面側に側断面視Ｌ字状のＰＯＰ広告等を挟持する挟持部を備えることにより、他の部材を備えることなく、様々な広告表示等を行うことが可能となる。
（７）第１のレール部の上面側又は下面側に第２のレール部を設けることにより、種々の装飾的な商品表示が可能になるとともに、エアカーテンの整流効果を高めることが可能となる。
（８）手摺レールに取付けられるプライスカードレールに、第１のレール部と第２のレール部とを設けることにより、種々の装飾的な商品表示が可能となるとともに、オープンショーケース全体として統一感のある商品表示が可能となる。
【発明を実施するための最良の形態】
【０００９】
以下、本発明の実施の形態に係るプライスカードレールについて図面に基づき説明する。
図１は本発明の第１実施の形態に係るプライスカードレールを示す側断面図であり、図２は本実施の形態に係るプライスカードレールを商品陳列棚に取付けた状態を示す側断面図であり、図３は本実施の形態に係るプライスカードレールを備えたオープンショーケースを示す側断面図である。
本実施の形態に係るプライスカードレール１は、図１に示すように、商品陳列棚の棚板前端の底板端部に係止される折返片から成る棚板係止部２と、当該棚板係止部２から前方向に略水平に延長して、上面側に棚フェンスの下端面を支持する棚フェンス支持部３と、当該棚フェンス支持部３の前端部において側断面視略コ字状に形成されたレール部４とが樹脂材等により一体的に形成されている。
レール部４は、所定の厚みを有するデジタル表示器５を保持するための第１のレール部と、紙等の薄板状の商品表示体６を保持するための第２のレール部とを設けている。
第１のレール部は、断面視略コ字状のレール部４の上，下の保持片４ａ，４ｂで構成されている。
デジタル表示器５は、上面及び下面に突起部５ａ，５ｂを有しており、第１レール部を構成する各保持片４ａ，４ｂは、デジタル表示器５を上下方向から挟持するとともに、デジタル表示器５の各突起部５ａ，５ｂを係止して保持する。
上側保持片４ａは、前端下面側が曲面加工されるとともに、後方に向かって上側に傾斜して凹部４ｃを形成している。下側保持片４ｂは、先端部に係止爪４ｄを有する。
この構成により、第１レール部に対するデジタル表示器５の着脱が容易なものとなる。具体的には、デジタル表示器５を取り付ける際は、デジタル表示器５の上部側の突起部５ａを先に第１レール部に差し入れて、上側保持片４ａの傾斜面を摺動させて凹部４ｃに係止させた後、下部を押し込むようにして下側保持片４ｂを撓曲させ、下部側の突起部５ｂを係止爪４ｄに係止させる。また、取外しの際は、デジタル表示器５の上部を手前側に引っ張り、上部側の突起部５ａを傾斜面に沿って摺動させることにより、下側保持片４ｂを撓曲させて取外す。この場合、上側保持片４ａの前端部下面を曲面加工しているため、突起部５ａが前端部に引っ掛かることなく、容易に取外しが可能となっている。また、下側保持片４ｂの肉厚を薄く形成することにより、容易に撓曲可能としている。
ここで、各保持片４ａ，４ｂは、デジタル表示器５の上面，下面それぞれの厚さ方向の中間位置近傍を挟持するように形成しており、厚みを有するデジタル表示器５の上面側全体を保持する構成としていないため、顧客に対しプライスカードレール１の厚さを薄く見せることが可能となる。
本実施の形態では、さらに第２レール部として、各保持片４ａ，４ｂの後端部近傍の内周面側に商品表示体６の上，下端部近傍を係止保持する第２の係止爪４ｅ，４ｅを設けている。また、レール部４の背面板には所定の高さに段差部４ｆを設けるとともに当該段差部４ｆの内周面側にも係止爪４ｅを設けている。これにより、商品表示体６の高さに合わせて、上保持片４ａ又は段差部４ｆのいずれかに設けられた係止爪４ｅ，４ｅを使い分けることが可能となる。
また、レール部４の背面板の外周面側には棚フェンス支持部３に支持された棚フェンスの前面に当接する突起部４ｇが形成されている。
【００１０】
図２に示すように、プライスカードレール１Ａ，Ｂは、各商品陳列棚の棚板７の下端部に棚板係止部２を係止させた状態で、棚フェンス８を棚フェンス支持部３の上面に支持させる。この場合、棚フェンス８は、棚板７の前面部とプライスカードレール１の突起部４ｅとにより挟持された状態で支持される。
また、プライスカードレール１としては、図２，図３に示すように、商品陳列棚の取付位置に応じて、予めレール部４の傾斜角を設定したものを用いる。
上段側の商品陳列棚に取付けるプライスカードレール１Ａは、図２（ａ）に示すように、棚フェンス支持部３の前端に、略垂直になるようにレール部４を設け、デジタル表示器５及び商品表示体６が略正面方向を向くようにしている。
一方、下段側の商品陳列棚に取付けるプライスカードレール１Ｂは、図２（ｂ）に示すように、棚フェンス支持部３の前端から垂直に立上片３ａを形成するとともに、当該立上片３ａの上端から斜め上方に延長させた突出片３ｂに、レール部４を傾斜させて設けることにより、デジタル表示器５及び商品表示体６が斜め上方を向くようにしている。
例えば、図３に示すオープンショーケース１０の例では、前面を開口した側断面視略コ字状の商品陳列室１０ａ内に４段の商品陳列棚１０ｂが備えられており、上側２段は図２（ａ）に示す形態のプライスカードレール１Ａを配設し、下側２段は図２（ｂ）に示す形態のプライスカードレール１Ｂを配設することにより、顧客の視線に合わせた、より見易い状態でのデジタル表示器５及び商品表示体６の保持を可能としている。
【００１１】
以上の構成により、本実施の形態に係るプライスカードレール１は、各商品陳列棚１０ｂの前面側において、上，下の保持片４ａ，４ｂで構成した第１のレール部によりデジタル表示器５を挟持して保持するとともに、レール部４内の係止爪４ｃ，４ｃで構成された第２のレール部により薄板状の商品表示体６の上，下端部を係止保持する。
これにより、デジタル表示器５とともにプライスカードレール１のレール部４全体に長尺のカラーフィルム等の商品表示体６を保持させることにより、正確な価格表示等が可能になるとともに、売場毎又は各陳列棚毎のカラーコントロール等、種々の装飾的な商品表示を行うことが可能となる。また、デジタル表示器５の背面側にカラーフィルム等の商品表示体６を保持させることにより、デジタル表示器５を浮き出させることができ、価格等の商品表示をより見易いものとすることが可能となる。
また、本実施の形態に係るプライスカードレール１は、従来のプライスカードレールと比較して、棚板下面側に突出する部分が大きくなっているため、商品陳列棚の下面側に取付けられた棚ランプのカバー部材を省略することが可能となる。
【００１２】
前記第１実施の形態では、デジタル表示器５を挟持して保持する第１レール部を設けることとしているが、これに限らず、デジタル表示器の形態によっては、他の構成で保持することとしてもよい。
以下、他のデジタル表示器に対応した第１レール部を有するプライスカードレールについて説明する。
図４は本発明の第２実施の形態に係るプライスカードレールを示す側断面図であり、図５は本実施の形態に係るプライスカードレールを商品陳列棚に取付けた状態を示す側断面図である。各図において、前記第１実施の形態に係るプライスカードレールと同様の構成については、同様の符号を付して説明を省略する。
本実施の形態に係るプライスカードレール１１は、上面側及び下面側に溝部１２ａが形成されたデジタル表示器１２を保持するための構成として、下側保持片４ｂとともに、上側保持片４ａの前端部にも係止爪４ｄを設けている。これにより、デジタル表示器１２を各保持片４ａ，４ｂで挟持させるとともに、溝部１２ａに各係止爪４ｄ，４ｄを係止させることにより、溝部１２ａが形成されたデジタル表示器１２をより確実に保持することが可能となる。
また、上側保持片４ａの上面側には、側面視略Ｌ字状に形成されたＰＯＰ広告等の商品表示体１３の水平部１３ａを挟持する挟持部４ｇが設けられている。これにより、他の部材を備えることなく、さらに商品表示体を保持することが可能となる。
【００１３】
本実施の形態の場合にも、図５，６に示すように、商品陳列棚の取付位置に応じた傾斜角を設定しており、上段側の商品陳列棚に取付けるプライスカードレール１１Ａは、図５（ａ）に示すように、棚フェンス支持部３の前端に、略垂直になるようにレール部４を設け、デジタル表示器１２及び商品表示体６，１３が略正面方向を向くようにしている。
一方、下段側の商品陳列棚に取付けるプライスカードレール１１Ｂは、図５（ｂ）に示すように、棚フェンス支持部３の前端から垂直に立上片３ａを形成するとともに、当該立上片３ａの上端から斜め上方に延長させた突出片３ｂに、レール部４を傾斜させて設けることにより、デジタル表示器５及び商品表示体６，７が斜め上方を向くようにしている。
例えば、図６に示すオープンショーケース１０の例では、上側２段は図５（ａ）に示す形態のプライスカードレール１１Ａを配設し、下側２段は図５（ｂ）に示す形態のプライスカードレール１１Ｂを配設することにより、顧客の視線に合わせた、より見易い状態でのデジタル表示器１２及び商品表示体６，１３の保持を可能としている。
【００１４】
また、前記第１，第２実施の形態に係るプライスカードレールでは、第１レール部４内に薄板状の商品表示体６を保持する第２レール部を設けることとしているが、これに限るものではなく、例えば、レール部の上部又は下部に、第２のレール部を設けて薄板状の商品表示体６を保持することとしてもよい。
以下、第１レール部の上部に第２のレール部を設けたプライスカードレールについて説明する。
図７は本発明の第３実施の形態に係るプライスカードレールのレール部材を示す側断面図であり、図８は本実施の形態に係るプライスカードレールを、各商品陳列棚に取付けた状態を示す側断面図であり、図９は本実施の形態に係るプライスカードレールを備えたオープンショーケースを示す側断面図である。
各図に示すように、本実施の形態に係るプライスカードレールは、レール部材１４を構成する第１レール部１５の上保持片１５ａの上面側に、薄板状の商品表示体６を保持させる第２レール部１６を設けている。
レール部材１４は、第２実施の形態に示すプライスカードレール１１と略同様に上，下保持片１５ａ，１５ｂにデジタル表示器１２及び薄板状の商品表示体６の上，下端部を係止保持するための係止爪１５ｃ，１５ｄを設けた第１レール部１５を備えるとともに、第１レール部１５の上保持片１５ａの上面側に、第２レール部１６を備える。
第２レール部１６は、上保持片１５ａの上面側前端に立設する前壁部１６ａと、当該前壁部１６ａの上，下端部に設けられた係止爪１６ｂとで構成される。ここで、第１レール部１５と第２レール部１６とは、それぞれに保持されたデジタル表示器１３及び商品表示体６が略面一となるように形成されている。また、第１レール部１５の上保持片１５ａの上面側及び第２レール部１６の背面側には、後述する側断面視略Ｔ字状の支持片を嵌合させる上，下の溝部１５ｅ，１５ｆ，１６ｃを設けている。なお、本例では、第１レール部１５を構成する下保持片１５ｂには係止爪１５ｄを設けないこととしているが、第１実施の形態と同様に、下保持部１５ｂに係止爪１５ｄを設けることとしてもよい。
また、本実施の形態では、図８，９に示すように、レール部材１４をレール支持部材１７により支持する構成としている。
一方、レール支持部材１４は、アルミニウム材又はステンレス材等の金属材により形成され、図８に示すように、第１，第２実施の形態に示すプライスカードレール１，１１と略同様にプライスカードレール支持部１８と棚フェンス支持部１９とを備えるとともに、側面視略Ｔ字状の支持片２０とを備える。
【００１５】
本実施の形態では、上保持部１５ａの上面側に前後２つの溝部１５ｅ，１５ｆを設けるとともに、後側の溝部１５ｆを傾斜させて設けることにより、レール部材１４の傾斜角を変更可能に構成している。
上段側の商品陳列棚の場合には、図８（ａ）に示すように、前側の溝部１５ｅと溝部１５ｃとに支持片２０を嵌合させ、デジタル表示器１３及び商品表示体６が略正面方向を向くように支持させる。
一方、下段側の商品陳列棚の場合には、図８（ｂ）に示すように、後側の溝部１５ｆと溝部１６ｃとに支持片２０を嵌合させることによりデジタル表示器１３及び商品表示体６が斜め上方を向くように支持させる。
例えば、図９に示すオープンショーケース１０の例では、前面を開口した側断面視略コ字状の商品陳列室１０ａ内に４段の商品陳列棚１０ｂが備えられており、上側２段は図５（ａ）に示す状態でプライスカードレール１１を支持させ、下側２段は図６（ｂ）に示す状態でプライスカードレール１１を支持させることにより、顧客の視線に合わせた、より見易い状態でのデジタル表示器１３及び商品表示体６の保持を可能としている。
【００１６】
以上の構成により、本実施の形態に係るプライスカードレールは、各商品陳列棚１０ｂの前面側において、第１，第２のレール部１５，１６により、デジタル表示器１３とともに種々の商品表示体６を保持することが可能となる。また、プライスカードレール全体の高さが高くなるため、エアカーテンの整流効果を高めることが可能となる。
また、プライスカードレールの傾斜角の変更を容易に行うことが可能となる。
【００１７】
なお、前記各実施の形態における構成の組合せを変更することとしてもよい。
例えば、第２実施の形態に示すプライスカードレール１１の挟持部４ｈを、第１実施の形態に示すプライスカードレール１に備えることとしてもよい。また、挟持部４ｈは、プライスカードレールの上側保持片４ａの上面側だけでなく、下側保持片４ｂの下面側に設けることとしてもよい。
図１０は、第１実施の形態に係るプライスカードレール１に挟持部４ｈを設けた例を示す図である。
図１０（ａ）に示すように、プライスカードレール１Ｃは、デジタル表示器５を保持する第１レール部を構成する上側保持片４ａの上面側と、下側保持片４ｂの下面側とのそれぞれに、挟持部４ｈを設けている。これにより、他の部材を備えることなく、より多くの商品表示体１３を保持することが可能となる。
また、図１０（ｂ）に示すように、保持部材２１を介して挟持部４ｈに商品表示体２２を保持することとしてもよい。従って、断面視Ｌ字状の商品表示体１３に限らず、他の形状の商品表示体２２を保持することも可能となる。
また、第１，第２実施の形態に示すプライスカードレールを、レール部材とレール支持部材とに分けて構成してもよい。
また、第３実施の形態に示すプライスカードレールにおいて、他の実施の形態と同様に、レール部材とレール支持部材とを一体的に形成することとしてもよい。また、前記第１実施の形態と同様に、係止爪を省略してデジタル表示器を挟持して保持する第１レール部を設けることとしてもよい。
さらに、第３実施の形態に示すプライスカードレールにおいて、第２レール部１６を第１レール部１５の下側保持片４ｂの下面側に設けてもよく、また、上側保持片と下側保持片との双方に設けてもよい。
【００１８】
また、最下段の陳列パン上の商品についての商品表示体を保持するための構成としては、図１１に示すように、オープンショーケースのケーシングの前面下部に、略全幅に亘って形成された手摺レール２３に対し、第１，第２保持部を形成する係止爪２４ａ，２４ｂ及び挟持部２４ｃを備えたプライスカードレール２４を、帯状のマグネット２５を介して直接取り付けるか（図１１（ａ）参照。）、ワイヤ等で構成した支持部材２６により支持させる（図１１（ｂ）参照。）。
支持部材２６としては、例えば、特開２００１−１７４１３５号公報に記載された脚部及び略矩形状の枠体から成る取付部で構成された、ワイヤ製の商品表示具取付部材を用いる。この場合には、前記取付部に長尺の金属板等を固定し、帯状のマグネット２７を介してプライスカードレール２４を着脱可能に取付ける。これにより、手摺レール２３の傾斜面の角度に関らず、所定の傾斜角でプライスカードレール２４を支持することが可能となる。
なお、プライスカードレール２４の支持部材としては前記実施の形態に示すものに限らず、種々の形態のものを用いることができる。
また、この支持部材により支持されるプライスカードレールとしては、前記第１〜３のいずれの実施の形態に示すものを用いてもよい。
【図面の簡単な説明】
【００１９】
【図１】本発明の第１実施の形態に係るプライスカードレールを示す側断面図である。
【図２】本発明の第１実施の形態に係るプライスカードレールを棚板に取り付けた状態を示す側断面図である。
【図３】本発明の第１実施の形態に係るプライスカードレールを備えたオープンショーケースを示す側断面図である。
【図４】本発明の第２実施の形態に係るプライスカードレールを示す側断面図である。
【図５】本発明の第２実施の形態に係るプライスカードレールを棚板に取り付けた状態を示す側断面図である。
【図６】本発明の第２実施の形態に係るプライスカードレールを備えたオープンショーケースを示す側断面図である。
【図７】本発明の第３実施の形態に係るプライスカードレールを示す側断面図である。
【図８】本発明の第３実施の形態に係るプライスカードレールを棚板に取り付けた状態を示す側断面図である。
【図９】本発明の第３実施の形態に係るプライスカードレールを備えたオープンショーケースを示す側断面図である。
【図１０】本発明の第１実施の形態に係るプライスカードレールに商品表示体挟持部を設けた例を示す側断面図である。
【図１１】本発明の第２実施の形態に係るプライスカードレールを手摺レールに取付けた状態を示す側断面図である。
【符号の説明】
【００２０】
１，１Ａ，１Ｂ，１Ｃ  プライスカードレール、２  棚板係止部、３  棚フェンス支持部、４  レール部、４ａ  上側保持片、４ｂ  下側保持片、４ｃ  凹部、４ｄ  係止爪、４ｅ  係止爪、４ｆ  段差部、４ｇ  突起部、４ｈ  挟持部、５  デジタル表示、６  商品表示体、７  棚板、８  棚フェンス、１０  オープンショーケース、１０ａ  商品陳列室、１０ｂ  商品陳列棚、１１，１１Ａ，１１Ｂ  プライスカードレール、１２  デジタル表示器、１２ａ  溝部、１３  商品表示体、１４  レール部材、１５  第１レール部、１５ａ  上側保持片、１５ｂ  下側保持片、１５ｃ，１５ｄ  係止爪、１５ｅ  溝部、１５ｆ  溝部、１６  第２レール部、１６ａ  係止爪、１６ｂ  溝部、１７  レール支持部材、１８  棚板係止部、１９  棚フェンス支持部、２０  レール係止部、２１  支持部材
２１  手摺レール、２２  プライスカードレール、２２ａ，２２ｂ  保持片、２２ｃ  挟持部、２３  マグネット、２４  支持部材。
【図１】
2007075545.tif 000003
【図２】
2007075545.tif 000004
【図３】
2007075545.tif 000005
【図４】
2007075545.tif 000006
【図５】
2007075545.tif 000007
【図６】
2007075545.tif 000008
【図７】
2007075545.tif 000009
【図８】
2007075545.tif 000010
【図９】
2007075545.tif 000011
【図１０】
2007075545.tif 000012
【図１１】
2007075545.tif 000013